(57)【要約】【課題】効率的に上りリンクの伝送を行うことができる。【解決手段】端末装置は、ＰＤＣＣＨを受信し、前記ＰＤＣＣＨに含まれるＤＣＩフォーマットに少なくとも基づきスケジューリングされる複数のＰＵＳＣＨを送信し、前記ＤＣＩフォーマットが非周期ＣＳＩ報告を指示する場合、前記複数のＰＵＳＣＨのうち、前記非周期ＣＳＩ報告が多重される第１のＰＵＳＣＨに対して、ＤＣＩフィールドＵＬ−ＳＣＨ  ｉｎｄｉｃａｔｏｒは適用され、前記複数のＰＵＳＣＨのうち、第１のＰＵＳＣＨ以外のＰＵＳＣＨに対して、前記ＤＣＩフィールドＵＬ−ＳＣＨ  ｉｎｄｉｃａｔｏｒは適用されないことを含む。【選択図】図６
2020182101.tif 000002
【特許請求の範囲】
【請求項１】
ＰＤＣＣＨを受信する受信部と、
前記ＰＤＣＣＨに含まれるＤＣＩフォーマットに少なくとも基づきスケジューリングされる複数のＰＵＳＣＨを送信する送信部と、を備え、
前記ＤＣＩフォーマットが非周期ＣＳＩ報告を指示する場合、
前記複数のＰＵＳＣＨのうち、前記非周期ＣＳＩ報告が多重される第１のＰＵＳＣＨに対して、ＤＣＩフィールドＵＬ−ＳＣＨ  ｉｎｄｉｃａｔｏｒは適用され、
前記複数のＰＵＳＣＨのうち、第１のＰＵＳＣＨ以外のＰＵＳＣＨに対して、前記ＤＣＩフィールドＵＬ−ＳＣＨ  ｉｎｄｉｃａｔｏｒは適用されない
端末装置。
【請求項２】
ＰＤＣＣＨを受信する受信部と、
前記ＰＤＣＣＨに含まれるＤＣＩフォーマットに少なくとも基づきスケジューリングされるＰＵＳＣＨを送信する送信部と、を備え、
前記ＤＣＩフォーマットが非周期ＣＳＩ報告を指示する場合、
１つの第２のＰＵＳＣＨがスケジューリングされ、
前記非周期ＣＳＩ報告を第２のＰＵＳＣＨに多重し、
第２のＰＵＳＣＨに対して、ＤＣＩフィールドＵＬ−ＳＣＨ  ｉｎｄｉｃａｔｏｒは適用される
端末装置。
【請求項３】
ＰＤＣＣＨを受信する受信部と、
前記ＰＤＣＣＨに含まれるＤＣＩフォーマットに少なくとも基づきスケジューリングされるＰＵＳＣＨを送信する送信部と、を備え、
前記ＤＣＩフォーマットが非周期ＣＳＩ報告を指示する、且つ、1つのＰＵＳＣＨをス
ケジューリングする場合、
前記ＤＣＩフォーマットに含まれるＤＣＩフィールドＵＬ−ＳＣＨ  ｉｎｄｉｃａｔｏｒは有効にセットされ、
前記ＤＣＩフォーマットが非周期ＣＳＩ報告を指示する、且つ、複数のＰＵＳＣＨをスケジューリングする場合、
前記ＤＣＩフォーマットに含まれるＤＣＩフィールドＵＬ−ＳＣＨ  ｉｎｄｉｃａｔｏｒは無効にセットされる
端末装置。
【請求項４】
ＰＤＣＣＨを送信する送信部と、
前記ＰＤＣＣＨに含まれるＤＣＩフォーマットに少なくとも基づきスケジューリングされる複数のＰＵＳＣＨを受信する受信部と、を備え、
前記ＤＣＩフォーマットが非周期ＣＳＩ報告を指示する場合、
前記複数のＰＵＳＣＨのうち、前記非周期ＣＳＩ報告が多重されるＰＵＳＣＨに対して、ＤＣＩフィールドＵＬ−ＳＣＨ  ｉｎｄｉｃａｔｏｒをセットする
基地局装置。
【請求項５】
ＰＤＣＣＨを送信する送信部と、
前記ＰＤＣＣＨに含まれるＤＣＩフォーマットに少なくとも基づきスケジューリングされる複数のＰＵＳＣＨを受信する受信部と、を備え、
前記ＤＣＩフォーマットが非周期ＣＳＩ報告を指示する場合、
１つの第２のＰＵＳＣＨをスケジューリングし、
前記非周期ＣＳＩ報告は第２のＰＵＳＣＨに多重され、
第２のＰＵＳＣＨに対して、ＤＣＩフィールドＵＬ−ＳＣＨ  ｉｎｄｉｃａｔｏｒをセ
ットする
基地局装置。
【請求項６】
ＰＤＣＣＨを送信する送信部と、
前記ＰＤＣＣＨに含まれるＤＣＩフォーマットに少なくとも基づきスケジューリングされる複数のＰＵＳＣＨを受信する受信部と、を備え、
前記ＤＣＩフォーマットが非周期ＣＳＩ報告を指示する、且つ、1つのＰＵＳＣＨをス
ケジューリングする場合、
前記ＤＣＩフォーマットに含まれるＤＣＩフィールドＵＬ−ＳＣＨ  ｉｎｄｉｃａｔｏｒを有効にセットし、
前記ＤＣＩフォーマットが非周期ＣＳＩ報告を指示する、且つ、複数のＰＵＳＣＨをスケジューリングする場合、
前記ＤＣＩフォーマットに含まれるＤＣＩフィールドＵＬ−ＳＣＨ  ｉｎｄｉｃａｔｏｒを無効にセットする
基地局装置。
【請求項７】
端末装置に用いられる通信方法であって、
ＰＤＣＣＨを受信し、
前記ＰＤＣＣＨに含まれるＤＣＩフォーマットに少なくとも基づきスケジューリングされる複数のＰＵＳＣＨを送信し、
前記ＤＣＩフォーマットが非周期ＣＳＩ報告を指示する場合、
前記複数のＰＵＳＣＨのうち、前記非周期ＣＳＩ報告が多重される第１のＰＵＳＣＨに対して、ＤＣＩフィールドＵＬ−ＳＣＨ  ｉｎｄｉｃａｔｏｒは適用され、
前記複数のＰＵＳＣＨのうち、第１のＰＵＳＣＨ以外のＰＵＳＣＨに対して、前記ＤＣＩフィールドＵＬ−ＳＣＨ  ｉｎｄｉｃａｔｏｒは適用されないことを含む
通信方法。
【請求項８】
端末装置に用いられる通信方法であって、
ＰＤＣＣＨを受信し、
前記ＰＤＣＣＨに含まれるＤＣＩフォーマットに少なくとも基づきスケジューリングされる複数のＰＵＳＣＨを送信し、
前記ＤＣＩフォーマットが非周期ＣＳＩ報告を指示する場合、
１つの第２のＰＵＳＣＨがスケジューリングされ、
前記非周期ＣＳＩ報告を第２のＰＵＳＣＨに多重し、
第２のＰＵＳＣＨに対して、ＤＣＩフィールドＵＬ−ＳＣＨ  ｉｎｄｉｃａｔｏｒは適用されることを含む
通信方法。
【請求項９】
端末装置に用いられる通信方法であって、
ＰＤＣＣＨを受信し、
前記ＰＤＣＣＨに含まれるＤＣＩフォーマットに少なくとも基づきスケジューリングされる複数のＰＵＳＣＨを送信し、
前記ＤＣＩフォーマットが非周期ＣＳＩ報告を指示する、且つ、1つのＰＵＳＣＨをス
ケジューリングする場合、
前記ＤＣＩフォーマットに含まれるＤＣＩフィールドＵＬ−ＳＣＨ  ｉｎｄｉｃａｔｏｒは有効にセットされ、
前記ＤＣＩフォーマットが非周期ＣＳＩ報告を指示する、且つ、複数のＰＵＳＣＨをスケジューリングする場合、
前記ＤＣＩフォーマットに含まれるＤＣＩフィールドＵＬ−ＳＣＨ  ｉｎｄｉｃａｔｏｒは無効にセットされることを含む
通信方法。
【請求項１０】
基地局装置に用いられる通信方法であって、
ＰＤＣＣＨを送信し、
前記ＰＤＣＣＨに含まれるＤＣＩフォーマットに少なくとも基づきスケジューリングされる複数のＰＵＳＣＨを受信し、
前記ＤＣＩフォーマットが非周期ＣＳＩ報告を指示する場合、
前記複数のＰＵＳＣＨのうち、前記非周期ＣＳＩ報告が多重される第１のＰＵＳＣＨに対して、ＤＣＩフィールドＵＬ−ＳＣＨ  ｉｎｄｉｃａｔｏｒをセットすることを含む
通信方法。
【請求項１１】
基地局装置に用いられる通信方法であって、
ＰＤＣＣＨを送信し、
前記ＰＤＣＣＨに含まれるＤＣＩフォーマットに少なくとも基づきスケジューリングされる複数のＰＵＳＣＨを受信し、
前記ＤＣＩフォーマットが非周期ＣＳＩ報告を指示する場合、
１つの第２のＰＵＳＣＨをスケジューリングし、
前記非周期ＣＳＩ報告は第２のＰＵＳＣＨに多重され、
第２のＰＵＳＣＨに対して、ＤＣＩフィールドＵＬ−ＳＣＨ  ｉｎｄｉｃａｔｏｒをセットすることを含む
通信方法。
【請求項１２】
基地局装置に用いられる通信方法であって、
ＰＤＣＣＨを送信し、
前記ＰＤＣＣＨに含まれるＤＣＩフォーマットに少なくとも基づきスケジューリングされる複数のＰＵＳＣＨを受信し、
前記ＤＣＩフォーマットが非周期ＣＳＩ報告を指示する、且つ、1つのＰＵＳＣＨをス
ケジューリングする場合、
前記ＤＣＩフォーマットに含まれるＤＣＩフィールドＵＬ−ＳＣＨ  ｉｎｄｉｃａｔｏｒを有効にセットし、
前記ＤＣＩフォーマットが非周期ＣＳＩ報告を指示する、且つ、複数のＰＵＳＣＨをスケジューリングする場合、
前記ＤＣＩフォーマットに含まれるＤＣＩフィールドＵＬ−ＳＣＨ  ｉｎｄｉｃａｔｏｒを無効にセットすることを含む
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「EUTRA:Evolved Universal Terrestrial Radio Access」と称する。）が、第三世代パートナーシッププロジェクト（3GPP:3rd Generation Partnership Project）において検討されている。ＬＴＥにおいて、基地局装置はｅＮｏｄｅＢ（evolved NodeB）、端末装置はＵＥ（User Equipment）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ITU:International Telecommunication Union）が
策定する次世代移動通信システムの規格であるＩＭＴ（International Mobile Telecommunication）―２０２０に提案するため、次世代規格（NR:New Radio）の検討が行われている（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満たすことが求められている。
【先行技術文献】
【非特許文献】
【０００４】
【非特許文献１】"New SID proposal: Study on New Radio Access Technology"， RP-160671， NTT docomo， 3GPP TSG RAN Meeting #71， Goteborg， Sweden， 7th-10th March， 2016．
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、ＰＤＣＣＨを受信する受信部と、前記ＰＤＣＣＨに含まれるＤＣＩフォーマットに少なくとも基づきスケジューリングされる複数のＰＵＳＣＨを送信する送信部と、を備え、前記ＤＣＩフォーマットが非周期ＣＳＩ報告を指示する場合、前記複数のＰＵＳＣＨのうち、前記非周期ＣＳＩ報告が多重される第１のＰＵＳＣＨに対して、ＤＣＩフィールドＵＬ−ＳＣＨ  ｉｎｄｉｃａｔｏｒは適用され、前記複数のＰＵＳＣＨのうち、第１のＰＵＳＣＨ以外のＰＵＳＣＨに対して、前記ＤＣＩフィールドＵＬ−ＳＣＨ  ｉｎｄｉｃａｔｏｒは適用されないことを含む。
【０００７】
（２）本発明の第２の態様は、端末装置であって、ＰＤＣＣＨを受信する受信部と、前記ＰＤＣＣＨに含まれるＤＣＩフォーマットに少なくとも基づきスケジューリングされるＰＵＳＣＨを送信する送信部と、を備え、前記ＤＣＩフォーマットが非周期ＣＳＩ報告を指示する場合、１つの第２のＰＵＳＣＨがスケジューリングされ、前記非周期ＣＳＩ報告を第２のＰＵＳＣＨに多重し、第２のＰＵＳＣＨに対して、ＤＣＩフィールドＵＬ−ＳＣＨ  ｉｎｄｉｃａｔｏｒは適用されることを含む。
【０００８】
（３）本発明の第３の態様は、端末装置であって、ＰＤＣＣＨを受信する受信部と、前記ＰＤＣＣＨに含まれるＤＣＩフォーマットに少なくとも基づきスケジューリングされるＰＵＳＣＨを送信する送信部と、を備え、前記ＤＣＩフォーマットが非周期ＣＳＩ報告を指示する、且つ、1つのＰＵＳＣＨをスケジューリングする場合、前記ＤＣＩフォーマッ
トに含まれるＤＣＩフィールドＵＬ−ＳＣＨ  ｉｎｄｉｃａｔｏｒは有効にセットされ、前記ＤＣＩフォーマットが非周期ＣＳＩ報告を指示する、且つ、複数のＰＵＳＣＨをスケジューリングする場合、前記ＤＣＩフォーマットに含まれるＤＣＩフィールドＵＬ−ＳＣＨ  ｉｎｄｉｃａｔｏｒは無効にセットされることを含む。
【０００９】
（４）本発明の第４の態様は、基地局装置であって、ＰＤＣＣＨを送信する送信部と、前記ＰＤＣＣＨに含まれるＤＣＩフォーマットに少なくとも基づきスケジューリングされる複数のＰＵＳＣＨを受信する受信部と、を備え、前記ＤＣＩフォーマットが非周期ＣＳＩ報告を指示する場合、前記複数のＰＵＳＣＨのうち、前記非周期ＣＳＩ報告が多重されるＰＵＳＣＨに対して、ＤＣＩフィールドＵＬ−ＳＣＨ  ｉｎｄｉｃａｔｏｒをセットすることを含む。
【００１０】
（５）本発明の第５の態様は、基地局装置であって、ＰＤＣＣＨを送信する送信部と、前記ＰＤＣＣＨに含まれるＤＣＩフォーマットに少なくとも基づきスケジューリングされる複数のＰＵＳＣＨを受信する受信部と、を備え、前記ＤＣＩフォーマットが非周期ＣＳＩ報告を指示する場合、１つの第２のＰＵＳＣＨをスケジューリングし、前記非周期ＣＳＩ報告は第２のＰＵＳＣＨに多重され、第２のＰＵＳＣＨに対して、ＤＣＩフィールドＵＬ−ＳＣＨ  ｉｎｄｉｃａｔｏｒをセットすることを含む。
【００１１】
（６）本発明の第６の態様は、基地局装置であって、ＰＤＣＣＨを送信する送信部と、前記ＰＤＣＣＨに含まれるＤＣＩフォーマットに少なくとも基づきスケジューリングされる複数のＰＵＳＣＨを受信する受信部と、を備え、前記ＤＣＩフォーマットが非周期ＣＳＩ報告を指示する、且つ、1つのＰＵＳＣＨをスケジューリングする場合、前記ＤＣＩフ
ォーマットに含まれるＤＣＩフィールドＵＬ−ＳＣＨ  ｉｎｄｉｃａｔｏｒを有効にセットし、前記ＤＣＩフォーマットが非周期ＣＳＩ報告を指示する、且つ、複数のＰＵＳＣＨをスケジューリングする場合、前記ＤＣＩフォーマットに含まれるＤＣＩフィールドＵＬ−ＳＣＨ  ｉｎｄｉｃａｔｏｒを無効にセットすることを含む。
【００１２】
（７）本発明の第７の態様は、端末装置に用いられる通信方法であって、ＰＤＣＣＨを受信し、前記ＰＤＣＣＨに含まれるＤＣＩフォーマットに少なくとも基づきスケジューリングされる複数のＰＵＳＣＨを送信し、前記ＤＣＩフォーマットが非周期ＣＳＩ報告を指示する場合、前記複数のＰＵＳＣＨのうち、前記非周期ＣＳＩ報告が多重される第１のＰＵＳＣＨに対して、ＤＣＩフィールドＵＬ−ＳＣＨ  ｉｎｄｉｃａｔｏｒは適用され、前記複数のＰＵＳＣＨのうち、第１のＰＵＳＣＨ以外のＰＵＳＣＨに対して、前記ＤＣＩフィールドＵＬ−ＳＣＨ  ｉｎｄｉｃａｔｏｒは適用されないことを含む。
【００１３】
（８）本発明の第８の態様は、端末装置に用いられる通信方法であって、端末装置に用いられる通信方法であって、ＰＤＣＣＨを受信し、前記ＰＤＣＣＨに含まれるＤＣＩフォーマットに少なくとも基づきスケジューリングされる複数のＰＵＳＣＨを送信し、前記ＤＣＩフォーマットが非周期ＣＳＩ報告を指示する場合、１つの第２のＰＵＳＣＨがスケジューリングされ、前記非周期ＣＳＩ報告を第２のＰＵＳＣＨに多重し、第２のＰＵＳＣＨに対して、ＤＣＩフィールドＵＬ−ＳＣＨ  ｉｎｄｉｃａｔｏｒは適用されることを含む。
【００１４】
（９）本発明の第９の態様は、端末装置に用いられる通信方法であって、ＰＤＣＣＨを受信し、前記ＰＤＣＣＨに含まれるＤＣＩフォーマットに少なくとも基づきスケジューリ
ングされる複数のＰＵＳＣＨを送信し、前記ＤＣＩフォーマットが非周期ＣＳＩ報告を指示する、且つ、1つのＰＵＳＣＨをスケジューリングする場合、前記ＤＣＩフォーマット
に含まれるＤＣＩフィールドＵＬ−ＳＣＨ  ｉｎｄｉｃａｔｏｒは有効にセットされ、前記ＤＣＩフォーマットが非周期ＣＳＩ報告を指示する、且つ、複数のＰＵＳＣＨをスケジューリングする場合、前記ＤＣＩフォーマットに含まれるＤＣＩフィールドＵＬ−ＳＣＨ  ｉｎｄｉｃａｔｏｒは無効にセットされることを含む。
【００１５】
（１０）本発明の第１０の態様は、基地局装置に用いられる通信方法であって、ＰＤＣＣＨを送信し、前記ＰＤＣＣＨに含まれるＤＣＩフォーマットに少なくとも基づきスケジューリングされる複数のＰＵＳＣＨを受信し、前記ＤＣＩフォーマットが非周期ＣＳＩ報告を指示する場合、前記複数のＰＵＳＣＨのうち、前記非周期ＣＳＩ報告が多重される第１のＰＵＳＣＨに対して、ＤＣＩフィールドＵＬ−ＳＣＨ  ｉｎｄｉｃａｔｏｒをセットすることを含む。
【００１６】
（１１）本発明の第１１の態様は、基地局装置に用いられる通信方法であって、ＰＤＣＣＨを送信し、前記ＰＤＣＣＨに含まれるＤＣＩフォーマットに少なくとも基づきスケジューリングされる複数のＰＵＳＣＨを受信し、前記ＤＣＩフォーマットが非周期ＣＳＩ報告を指示する場合、１つの第２のＰＵＳＣＨをスケジューリングし、前記非周期ＣＳＩ報告は第２のＰＵＳＣＨに多重され、第２のＰＵＳＣＨに対して、ＤＣＩフィールドＵＬ−ＳＣＨ  ｉｎｄｉｃａｔｏｒをセットすることを含む。
【００１７】
（１２）本発明の第１２の態様は、基地局装置に用いられる通信方法であって、ＰＤＣＣＨを送信し、前記ＰＤＣＣＨに含まれるＤＣＩフォーマットに少なくとも基づきスケジューリングされる複数のＰＵＳＣＨを受信し、前記ＤＣＩフォーマットが非周期ＣＳＩ報告を指示する、且つ、1つのＰＵＳＣＨをスケジューリングする場合、前記ＤＣＩフォーマットに含まれるＤＣＩフィールドＵＬ−ＳＣＨ  ｉｎｄｉｃａｔｏｒを有効にセットし、前記ＤＣＩフォーマットが非周期ＣＳＩ報告を指示する、且つ、複数のＰＵＳＣＨをスケジューリングする場合、前記ＤＣＩフォーマットに含まれるＤＣＩフィールドＵＬ−ＳＣＨ  ｉｎｄｉｃａｔｏｒを無効にセットすることを含む。
【発明の効果】
【００１８】
この発明によれば、端末装置は効率的に通信を行うことができる。また、基地局装置は効率的に通信を行うことができる。
【図面の簡単な説明】
【００１９】
【図１】本実施形態の一態様に係る無線通信システムの概念図である。
【図２】本実施形態の一態様に係るＮｓｌｏｔｓｙｍｂ、サブキャリア間隔の設定μ、スロット設定、および、ＣＰ設定の関係を示す一例である。
【図３】本実施形態の一態様に係るサブフレームにおけるリソースグリッドの一例を示す概略図である。
【図４】本実施形態の一態様に係る端末装置１の構成を示す概略ブロック図である。
【図５】本実施形態の一態様に係る基地局装置３の構成を示す概略ブロック図である。
【図６】本実施形態の一態様に係る、１つのＤＣＩフォーマットによりスケジューリングされる複数のＰＵＳＣＨのうち、該ＤＣＩフォーマットに含まれるＤＣＩフィールドＵＬ−ＳＣＨ  ｉｎｄｉｃａｔｏｒを非周期ＣＳＩ報告が多重されるＰＵＳＣＨに適用する方法を示す図である。
【図７】本実施形態の一態様に係る、非周期ＣＳＩ報告を指示するＤＣＩフォーマットが１つのＰＵＳＣＨをスケジューリングし、該ＤＣＩフォーマットに含まれるＤＣＩフィールドＵＬ−ＳＣＨ  ｉｎｄｉｃａｔｏｒが該ＰＵＳＣＨに適用される方法を示す図である。
【発明を実施するための形態】
【００２０】
以下、本発明の実施形態について説明する。
【００２１】
“Ａ、および／または、Ｂ”は、“Ａ”、“Ｂ”、または“ＡおよびＢ”を含む用語であってもよい。
【００２２】
パラメータまたは情報が１または複数の値を示すことは、該パラメータまたは該情報が該１または複数の値を示すパラメータまたは情報を少なくとも含むことであってもよい。上位層パラメータは、単一の上位層パラメータであってもよい。上位層パラメータは、複数のパラメータを含む情報要素（IE: Information Element）であってもよい。
【００２３】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００２４】
基地局装置３は、ＭＣＧ（Master Cell Group）、および、ＳＣＧ（Secondary Cell Group）の一方または両方を含んで構成されてもよい。ＭＣＧは、少なくともＰＣｅｌｌ（Primary Cell）を含んで構成されるサービングセルのグループである。ＳＣＧは、少なくともＰＳＣｅｌｌ（Primary Secondary Cell）を含んで構成されるサービングセルのグループである。ＰＣｅｌｌは、初期接続に基づき与えられるサービングセルであってもよい。ＭＣＧは、１または複数のＳＣｅｌｌ（Secondary Cell）を含んで構成されてもよい。ＳＣＧは、１または複数のＳＣｅｌｌを含んで構成されてもよい。サービングセル識別子（serving cell identity）は、サービングセルを識別するための短い識別子である。サービングセル識別子は、上位層パラメータにより与えられてもよい。
【００２５】
以下、フレーム構成について説明する。
【００２６】
本実施形態の一態様に係る無線通信システムにおいて、ＯＦＤＭ（Orthogonal Frequency Division Multiplex）が少なくとも用いられる。ＯＦＤＭシンボルは、ＯＦＤＭの時間領域の単位である。ＯＦＤＭシンボルは、少なくとも１または複数のサブキャリア（subcarrier）を含む。ＯＦＤＭシンボルは、ベースバンド信号生成において時間連続信号（time-continuous signal）に変換されもよい。
【００２７】
サブキャリア間隔（SCS: SubCarrier Spacing）は、サブキャリア間隔Δｆ＝２μ・１
５ｋＨｚにより与えられてもよい。例えば、サブキャリア間隔の設定（subcarrier spacing configuration）μは０、１、２、３、４、および／または、５の何れかに設定されてもよい。あるＢＷＰ（BandWidth Part）のために、サブキャリア間隔の設定μが上位層パラメータにより与えられてもよい。
【００２８】
本実施形態の一態様に係る無線通信システムにおいて、時間領域の長さの表現のために時間単位（タイムユニット）Ｔｃが用いられる。時間単位Ｔｃは、Ｔｃ＝１／（Δｆｍａｘ・Ｎｆ）で与えられてもよい。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。Ｎｆは、Ｎｆ＝４０９６であってもよい。定数κは、κ＝Δｆｍａｘ・Ｎｆ／（ΔｆｒｅｆＮｆ，ｒｅｆ）＝６４である。Δｆｒｅｆは、１５ｋＨｚであってもよい。Ｎｆ，ｒｅｆは、２０４８であってもよい。
【００２９】
定数κは、参照サブキャリア間隔とＴｃの関係を示す値であってもよい。定数κはサブ
フレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００３０】
下りリンクにおける送信、および／または、上りリンクにおける送信は、１０ｍｓのフレームにより構成される。フレームは、１０個のサブフレームを含んで構成される。サブフレームの長さは１ｍｓである。フレームの長さは、サブキャリア間隔Δｆに関わらず与えられてもよい。つまり、フレームの設定はμに関わらず与えられてもよい。サブフレームの長さは、サブキャリア間隔Δｆに関わらず与えられてもよい。つまり、サブフレームの設定はμに関わらず与えられてもよい。
【００３１】
あるサブキャリア間隔の設定μのために、サブフレームに含まれるスロットの数とインデックスが与えられてもよい。例えば、第１のスロット番号ｎμｓは、サブフレーム内において０からＮｓｕｂｆｒａｍｅ，μｓｌｏｔ−１の範囲で昇順に与えられてもよい。サブキャリア間隔の設定μのために、フレームに含まれるスロットの数とインデックスが与えられてもよい。例えば、第２のスロット番号ｎμｓ，ｆは、フレーム内において０からＮｆｒａｍｅ，μｓｌｏｔ−１の範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、スロット設定（slot configuration）、および／または、ＣＰ（Cyclic Prefix）設定の一部または全部に少なくとも基づき与えられてもよい。スロット設定は、少なくとも上位層パラメータｔｄｄ−ＵＬ−ＤＬ−ＣｏｎｆｉｇｕｒａｔｉｏｎＣｏｍｍｏｎにより与えられてもよい。ＣＰ設定は、上位層パラメータに少なくとも基づき与えられてもよい。ＣＰ設定は、専用ＲＲＣシグナリングに少なくとも基づき与えられてもよい。第１のスロット番号および第２のスロット番号は、スロット番号（スロットインデックス）とも呼称される。
【００３２】
図２は、本実施形態の一態様に係るＮｓｌｏｔｓｙｍｂ、サブキャリア間隔の設定μ、および、ＣＰ設定の関係を示す一例である。図２Ａにおいて、例えば、サブキャリア間隔の設定μが２であり、ＣＰ設定がノーマルＣＰ（normal cyclic prefix）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、例えば、サブキャリア間隔の設定μが２であり、ＣＰ設定が拡張ＣＰ（extended cyclic prefix）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。
【００３３】
以下、物理リソースについて説明を行う。
【００３４】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（large scale property）が、もう一つのアンテナポートにおいてシンボルが伝達されるチャネルから推定できる場合、２つのアンテナポートはＱＣＬ（Quasi Co-Located）であると呼称される。大規模特性は、チャネルの長区間特性を少なくとも含んでもよい。大規模特性は、遅延拡がり（delay spread）、ドップラー拡がり（Doppler spread）、ドップラーシフト（Doppler shift）、平均利得（average gain）、平均遅延（average delay）、および、ビームパラメータ（spatial Rx parameters）の一部または全部を少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００３５】
サブキャリア間隔の設定とキャリアのセットのそれぞれのために、ＮμＲＢ，ｘＮＲＢｓｃ個のサブキャリアとＮ（μ）ｓｙｍｂＮｓｕｂｆｒａｍｅ，μｓｙｍｂ個のＯＦＤＭシンボルのリソースグリッドが与えられる。ＮμＲＢ，ｘは、キャリアｘのためのサブキャリア間隔の設定μのために与えられるリソースブロック数を示してもよい。ＮμＲＢ，ｘは、キャリアｘのためのサブキャリア間隔の設定μのために与えられるリソースブロックの最大数であってもよい。キャリアｘは下りリンクキャリアまたは上りリンクキャリアの何れかを示す。つまり、ｘは“ＤＬ”、または、“ＵＬ”である。ＮμＲＢは、ＮμＲＢ，ＤＬ、および／または、ＮμＲＢ，ＵＬを含んだ呼称である。ＮＲＢｓｃは、１つのリソースブロックに含まれるサブキャリア数を示してもよい。アンテナポートｐごとに、および／または、サブキャリア間隔の設定μごとに、および／または、送信方向（Transmission direction）の設定ごとに少なくとも１つのリソースグリッドが与えられてもよい。送信方向は、少なくとも下りリンク（DL:DownLink）および上りリンク（UL:UpLink）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００３６】
下りリンクにおいて、サービングセルに含まれるキャリアを下りリンクキャリア（または、下りリンクコンポーネントキャリア）と称する。上りリンクにおいて、サービングセルに含まれるキャリアを上りリンクキャリア（上りリンクコンポーネントキャリア）と称する。下りリンクコンポーネントキャリア、および、上りリンクコンポーネントキャリアを総称して、コンポーネントキャリア（または、キャリア）と称する。
【００３７】
第１の無線パラメータセットごとに与えられるリソースグリッドの中の各要素は、リソースエレメントと呼称される。リソースエレメントは周波数領域のインデックスｋｓｃと、時間領域のインデックスｌｓｙｍにより特定される。ある第１の無線パラメータセットのために、リソースエレメントは周波数領域のインデックスｋｓｃと、時間領域のインデックスｌｓｙｍにより特定される。周波数領域のインデックスｋｓｃと時間領域のインデックスｌｓｙｍにより特定されるリソースエレメントは、リソースエレメント（ｋｓｃ、ｌｓｙｍ）とも呼称される。周波数領域のインデックスｋｓｃは、０からＮμＲＢＮＲＢｓｃ−１の何れかの値を示す。ＮμＲＢはサブキャリア間隔の設定μのために与えられるリソースブロック数であってもよい。ＮＲＢｓｃは、リソースブロックに含まれるサブキャリア数であり、ＮＲＢｓｃ＝１２である。周波数領域のインデックスｋｓｃは、サブキャリアインデックスｋｓｃに対応してもよい。時間領域のインデックスｌｓｙｍは、ＯＦＤＭシンボルインデックスｌｓｙｍに対応してもよい。
【００３８】
図３は、本実施形態の一態様に係るサブフレームにおけるリソースグリッドの一例を示す概略図である。図３のリソースグリッドにおいて、横軸は時間領域のインデックスｌｓｙｍであり、縦軸は周波数領域のインデックスｋｓｃである。１つのサブフレームにおいて、リソースグリッドの周波数領域はＮμＲＢＮＲＢｓｃ個のサブキャリアを含む。１つのサブフレームにおいて、リソースグリッドの時間領域は１４・２μ個のＯＦＤＭシンボルを含んでもよい。１つのリソースブロックは、ＮＲＢｓｃ個のサブキャリアを含んで構成される。リソースブロックの時間領域は、１ＯＦＤＭシンボルに対応してもよい。リソ
ースブロックの時間領域は、１４ＯＦＤＭシンボルに対応してもよい。リソースブロックの時間領域は、１または複数のスロットに対応してもよい。リソースブロックの時間領域は、１つのサブフレームに対応してもよい。
【００３９】
端末装置１は、リソースグリッドのサブセットのみを用いて送受信を行うことが指示されてもよい。リソースグリッドのサブセットは、ＢＷＰとも呼称され、ＢＷＰは上位層パラメータ、および／または、ＤＣＩの一部または全部に少なくとも基づき与えられてもよい。ＢＷＰをバンドパートとも称する（BP:bandwidth part）。つまり、端末装置１は、
リソースグリッドのすべてのセットを用いて送受信を行なうことが指示されなくてもよい。つまり、端末装置１は、リソースグリッド内の一部の周波数リソースを用いて送受信を行なうことが指示されてもよい。１つのＢＷＰは、周波数領域における複数のリソースブロックから構成されてもよい。１つのＢＷＰは、周波数領域において連続する複数のリソースブロックから構成されてもよい。下りリンクキャリアに対して設定されるＢＷＰは、下りリンクＢＷＰとも呼称される。上りリンクキャリアに対して設定されるＢＷＰは、上りリンクＢＷＰとも呼称される。
【００４０】
端末装置１に対して、１または複数の下りリンクＢＷＰが設定されてもよい。端末装置１は、１または複数の下りリンクＢＷＰのうちの１つの下りリンクＢＷＰにおいて物理チャネル（例えば、ＰＤＣＣＨ、ＰＤＳＣＨ、ＳＳ／ＰＢＣＨ等）の受信を試みてもよい。該１つの下りリンクＢＷＰは、活性化下りリンクＢＷＰとも呼称される。
【００４１】
端末装置１に対して、１または複数の上りリンクＢＷＰが設定されてもよい。端末装置１は、１または複数の上りリンクＢＷＰのうちの１つの上りリンクＢＷＰにおいて物理チャネル（例えば、ＰＵＣＣＨ、ＰＵＳＣＨ、ＰＲＡＣＨ等）の送信を試みてもよい。該１つの上りリンクＢＷＰは、活性化上りリンクＢＷＰとも呼称される。
【００４２】
サービングセルのそれぞれに対して下りリンクＢＷＰのセットが設定されてもよい。下りリンクＢＷＰのセットは１または複数の下りリンクＢＷＰを含んでもよい。サービングセルのそれぞれに対して上りリンクＢＷＰのセットが設定されてもよい。上りリンクＢＷＰのセットは１または複数の上りリンクＢＷＰを含んでもよい。
【００４３】
上位層パラメータは、上位層の信号に含まれるパラメータである。上位層の信号は、ＲＲＣ（Radio Resource Control）シグナリングであってもよいし、ＭＡＣ  ＣＥ（Medium
Access Control Control Element）であってもよい。ここで、上位層の信号は、ＲＲＣ
層の信号であってもよいし、ＭＡＣ層の信号であってもよい。
【００４４】
上位層の信号は、共通ＲＲＣシグナリング（common RRC signaling）であってもよい。共通ＲＲＣシグナリングは、以下の特徴Ｃ１から特徴Ｃ３の一部または全部を少なくとも備えてもよい。
特徴Ｃ１）ＢＣＣＨロジカルチャネル、または、ＣＣＣＨロジカルチャネルにマップされる
特徴Ｃ２）ｒａｄｉｏＲｅｓｏｕｒｃｅＣｏｎｆｉｇＣｏｍｍｏｎ情報要素を少なくとも含む
特徴Ｃ３）ＰＢＣＨにマップされる
【００４５】
ｒａｄｉｏＲｅｓｏｕｒｃｅＣｏｎｆｉｇＣｏｍｍｏｎ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスを少なくとも示してもよい。該ＰＲＡＣＨの設定は、ＰＲＡＣＨの時間／周波数リソースを少なくとも示してもよい。
【００４６】
上位層の信号は、専用ＲＲＣシグナリング（dedicated RRC signaling）であってもよ
い。専用ＲＲＣシグナリングは、以下の特徴Ｄ１からＤ２の一部または全部を少なくとも備えてもよい。
特徴Ｄ１）ＤＣＣＨロジカルチャネルにマップされる
特徴Ｄ２）ｒａｄｉｏＲｅｓｏｕｒｃｅＣｏｎｆｉｇＤｅｄｉｃａｔｅｄ情報要素を少なくとも含む
【００４７】
ｒａｄｉｏＲｅｓｏｕｒｃｅＣｏｎｆｉｇＤｅｄｉｃａｔｅｄ情報要素は、端末装置１に固有の設定を示す情報を少なくとも含んでもよい。ｒａｄｉｏＲｅｓｏｕｒｃｅＣｏｎｆｉｇＤｅｄｉｃａｔｅｄ情報要素は、ＢＷＰの設定を示す情報を少なくとも含んでもよい。該ＢＷＰの設定は、該ＢＷＰの周波数リソースを少なくとも示してもよい。
【００４８】
例えば、ＭＩＢ、第１のシステム情報、および、第２のシステム情報は共通ＲＲＣシグナリングに含まれてもよい。また、ＤＣＣＨロジカルチャネルにマップされ、且つ、ｒａｄｉｏＲｅｓｏｕｒｃｅＣｏｎｆｉｇＣｏｍｍｏｎを少なくとも含む上位層のメッセージは、共通ＲＲＣシグナリングに含まれてもよい。また、ＤＣＣＨロジカルチャネルにマップされ、且つ、ｒａｄｉｏＲｅｓｏｕｒｃｅＣｏｎｆｉｇＣｏｍｍｏｎ情報要素を含まない上位層のメッセージは、専用ＲＲＣシグナリングに含まれてもよい。また、ＤＣＣＨロジカルチャネルにマップされ、且つ、ｒａｄｉｏＲｅｓｏｕｒｃｅＣｏｎｆｉｇＤｅｄｉｃａｔｅｄ情報要素を少なくとも含む上位層のメッセージは、専用ＲＲＣシグナリングに含まれてもよい。
【００４９】
第１のシステム情報は、ＳＳ（Synchronization Signal）ブロックの時間インデックスを少なくとも示してもよい。ＳＳブロック（SS block）は、ＳＳ／ＰＢＣＨブロック（SS/PBCH block）とも呼称される。ＳＳ／ＰＢＣＨブロックは、ＳＳ／ＰＢＣＨとも呼称される。第１のシステム情報は、ＰＲＡＣＨリソースに関連する情報を少なくとも含んでもよい。第１のシステム情報は、初期接続の設定に関連する情報を少なくとも含んでもよい。第２のシステム情報は、第１のシステム情報以外のシステム情報であってもよい。
【００５０】
ｒａｄｉｏＲｅｓｏｕｒｃｅＣｏｎｆｉｇＤｅｄｉｃａｔｅｄ情報要素は、ＰＲＡＣＨリソースに関連する情報を少なくとも含んでもよい。ｒａｄｉｏＲｅｓｏｕｒｃｅＣｏｎｆｉｇＤｅｄｉｃａｔｅｄ情報要素は、初期接続の設定に関連する情報を少なくとも含んでもよい。
【００５１】
以下、本実施形態の種々の態様に係る物理チャネルおよび物理シグナルを説明する。
【００５２】
上りリンク物理チャネルは、上位層において発生する情報を運ぶリソースエレメントのセットに対応してもよい。上りリンク物理チャネルは、上りリンクキャリアにおいて用いられる物理チャネルである。本実施形態の一態様に係る無線通信システムにおいて、少なくとも下記の一部または全部の上りリンク物理チャネルが用いられる。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００５３】
ＰＵＣＣＨは、上りリンク制御情報（UCI:Uplink Control Information）を送信するために用いられてもよい。上りリンク制御情報は、チャネル状態情報（CSI:Channel State Information）、スケジューリングリクエスト（SR:Scheduling Request）、トランスポートブロック（TB:Transport block， MAC PDU:Medium Access Control Protocol Data Uni
t， DL-SCH:Downlink-Shared Channel， PDSCH:Physical Downlink Shared Channel）に
対応するＨＡＲＱ−ＡＣＫ（Hybrid Automatic Repeat request ACKnowledgement）の一
部または全部を含む。
【００５４】
ＨＡＲＱ−ＡＣＫは、１つのトランスポートブロックに少なくとも対応するＨＡＲＱ−ＡＣＫビットを少なくとも含んでもよい。ＨＡＲＱ−ＡＣＫビットは、１または複数のトランスポートブロックに対応するＡＣＫ（acknowledgement）またはＮＡＣＫ（negative-acknowledgement）を示してもよい。ＨＡＲＱ−ＡＣＫは、１または複数のＨＡＲＱ−Ａ
ＣＫビットを含むＨＡＲＱ−ＡＣＫコードブックを少なくとも含んでもよい。ＨＡＲＱ−ＡＣＫビットが１または複数のトランスポートブロックに対応することは、ＨＡＲＱ−ＡＣＫビットが該１または複数のトランスポートブロックを含むＰＤＳＣＨに対応することであってもよい。ＨＡＲＱ−ＡＣＫビットは、トランスポートブロックに含まれる１つのＣＢＧ（Code Block Group）に対応するＡＣＫまたはＮＡＣＫを示してもよい。
【００５５】
スケジューリングリクエスト（SR:Scheduling Request）は、初期送信のためのＰＵＳ
ＣＨのリソースを要求するために少なくとも用いられてもよい。スケジューリングリクエストビットは、正のＳＲ（positive SR）または、負のＳＲ（negative SR）の何れかを示すために用いられてもよい。スケジューリングリクエストビットが正のＳＲを示すことは、“正のＳＲが送信される”とも呼称される。正のＳＲは、端末装置１によって初期送信のためのＰＵＳＣＨのリソースが要求されることを示してもよい。正のＳＲは、上位層によりスケジューリングリクエストがトリガ（Trigger）されることを示してもよい。正のＳＲは、上位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨのリソースが要求されないことを示してもよい。負のＳＲは、上位層によりスケジューリングリクエストがトリガされないことを示してもよい。負のＳＲは、上位層によりスケジューリングリクエストを送信することが指示されない場合に、送信されてもよい。
【００５６】
チャネル状態情報は、チャネル品質指標（CQI:Channel Quality Indicator）、プレコ
ーダ行列指標（PMI:Precoder Matrix Indicator）、および、ランク指標（RI:Rank Indicator）の一部または全部を少なくとも含んでもよい。ＣＱＩは、チャネルの品質（例えば、伝搬強度）に関連する指標であり、ＰＭＩは、プレコーダを指示する指標である。ＲＩは、送信ランク（または、送信レイヤ数）を指示する指標である。
【００５７】
ＰＵＣＣＨは、ＰＵＣＣＨフォーマット（ＰＵＣＣＨフォーマット０からＰＵＣＣＨフォーマット４）をサポートする。ＰＵＣＣＨフォーマットは、ＰＵＣＣＨにマップされて送信されてもよい。ＰＵＣＣＨフォーマットは、ＰＵＣＣＨで送信されてもよい。ＰＵＣＣＨフォーマットが送信されることは、ＰＵＣＣＨが送信されることであってもよい。
【００５８】
ＰＵＳＣＨは、トランスポートブロック（TB， MAC PDU， UL-SCH， PUSCH）を送信す
るために少なくとも用いられる。ＰＵＳＣＨは、トランスポートブロック、ＨＡＲＱ−ＡＣＫ、チャネル状態情報、および、スケジューリングリクエストの一部または全部を少なくとも送信するために用いられてもよい。ＰＵＳＣＨは、ランダムアクセスメッセージ３を送信するために少なくとも用いられる。
【００５９】
ＰＲＡＣＨは、ランダムアクセスプリアンブル（ランダムアクセスメッセージ１）を送信するために少なくとも用いられる。ＰＲＡＣＨは、初期コネクション確立（initial connection establishment）プロシージャ、ハンドオーバプロシージャ、コネクション再確立（connection re-establishment）プロシージャ、ＰＵＳＣＨの送信に対する同期（タイミング調整）、およびＰＵＳＣＨのためのリソースの要求の一部または全部を示すために少なくとも用いられてもよい。ランダムアクセスプリアンブルは、端末装置１の上位層より与えられるインデックス（ランダムアクセスプリアンブルインデックス）を基地局装置３に通知するために用いられてもよい。
【００６０】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（UpLink Demodulation Reference Signal）
・ＳＲＳ（Sounding Reference Signal）
・ＵＬ  ＰＴＲＳ（UpLink Phase Tracking Reference Signal）
【００６１】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００６２】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００６３】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。ＵＬ  ＰＴＲＳは、１つのコードワードがマップされる１または複数のアンテナポートにおいて、最もインデックスの小さいアンテナポートにマップされてもよい。ＵＬ  ＰＴＲＳは、１つのコードワードが第１のレイヤ及び第２のレイヤに少なくともマップされる場合に、該第１のレイヤにマップされてもよい。ＵＬ  ＰＴＲＳは、該第２のレイヤにマップされなくてもよい。ＵＬ  ＰＴＲＳがマップされるアンテナポートのインデックスは、下りリンク制御情報に少なくとも基づき与えられてもよい。
【００６４】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＤＣＣＨ（Physical Downlink Control Channel）
・ＰＤＳＣＨ（Physical Downlink Shared Channel）
【００６５】
ＰＢＣＨは、マスターインフォメーションブロック（MIB:Master Information Block，
BCH， Broadcast Channel）を送信するために少なくとも用いられる。ＰＢＣＨは、所定の送信間隔に基づき送信されてもよい。ＰＢＣＨは、８０ｍｓの間隔で送信されてもよい
。ＰＢＣＨは、１６０ｍｓの間隔で送信されてもよい。ＰＢＣＨに含まれる情報の中身は、８０ｍｓごとに更新されてもよい。ＰＢＣＨに含まれる情報の一部または全部は、１６０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および／または、無線フレームの番号の少なくとも一部を指示する情報を含んでもよい。
【００６６】
ＰＤＣＣＨは、下りリンク制御情報（DCI:Downlink Control Information）の送信のために少なくとも用いられる。ＰＤＣＣＨは、下りリンク制御情報を少なくとも含んで送信されてもよい。ＰＤＣＣＨは下りリンク制御情報を含んでもよい。下りリンク制御情報は、ＤＣＩフォーマットとも呼称される。下りリンク制御情報は、下りリンクグラント（downlink grant）または上りリンクグラント（uplink grant）の何れかを少なくとも含んでもよい。ＰＤＳＣＨのスケジューリングのために用いられるＤＣＩフォーマットは、下りリンクＤＣＩフォーマットとも呼称される。ＰＵＳＣＨのスケジューリングのために用いられるＤＣＩフォーマットは、上りリンクＤＣＩフォーマットとも呼称される。下りリンクグラントは、下りリンクアサインメント（downlink assignment）または下りリンク割り当て（downlink allocation）とも呼称される。上りリンクＤＣＩフォーマットは、ＤＣＩフォーマット０＿０およびＤＣＩフォーマット０＿１の一方または両方を少なくとも含む。
【００６７】
ＤＣＩフォーマット０＿０は、１Ａから１Ｆの一部または全部を少なくとも含んで構成される。
１Ａ）ＤＣＩフォーマット特定フィールド（Identifier for DCI formats field）
１Ｂ）周波数領域リソース割り当てフィールド（Frequency domain resource assignment
field）
１Ｃ）時間領域リソース割り当てフィールド（Time domain resource assignment field
）
１Ｄ）周波数ホッピングフラグフィールド（Frequency hopping flag field）
１Ｅ）ＭＣＳフィールド（MCS field: Modulation and Coding Scheme field）
【００６８】
ＤＣＩフォーマット特定フィールドは、該ＤＣＩフォーマット特定フィールドを含むＤＣＩフォーマットが１または複数のＤＣＩフォーマットの何れに対応するかを示すために少なくとも用いられてもよい。該１または複数のＤＣＩフォーマットは、ＤＣＩフォーマット１＿０、ＤＣＩフォーマット１＿１、ＤＣＩフォーマット０＿０、および／または、ＤＣＩフォーマット０＿１の一部または全部に少なくとも基づき与えられてもよい。
【００６９】
周波数領域リソース割り当てフィールドは、該周波数領域リソース割り当てフィールドを含むＤＣＩフォーマットによりスケジューリングされるＰＵＳＣＨのための周波数リソースの割り当てを示すために少なくとも用いられてもよい。周波数領域リソース割り当てフィールドは、ＦＤＲＡ（Frequency Domain Resource Allocation）フィールドとも呼称される。
【００７０】
時間領域リソース割り当てフィールドは、該時間領域リソース割り当てフィールドを含むＤＣＩフォーマットによりスケジューリングされるＰＵＳＣＨのための時間リソースの割り当てを示すために少なくとも用いられてもよい。
【００７１】
周波数ホッピングフラグフィールドは、該周波数ホッピングフラグフィールドを含むＤＣＩフォーマットによりスケジューリングされるＰＵＳＣＨに対して周波数ホッピングが適用されるか否かを示すために少なくとも用いられてもよい。
【００７２】
ＭＣＳフィールドは、該ＭＣＳフィールドを含むＤＣＩフォーマットによりスケジューリングされるＰＵＳＣＨのための変調方式、および／または、ターゲット符号化率の一部または全部を示すために少なくとも用いられてもよい。該ターゲット符号化率は、該ＰＵＳＣＨのトランスポートブロックのためのターゲット符号化率であってもよい。該トランスポートブロックのサイズ（TBS: Transport Block Size）は、該ターゲット符号化率に
少なくとも基づき与えられてもよい。
【００７３】
ＤＣＩフォーマット０＿１は、２Ａから２Ｇの一部または全部を少なくとも含んで構成される。
２Ａ）ＤＣＩフォーマット特定フィールド
２Ｂ）周波数領域リソース割り当てフィールド
２Ｃ）時間領域リソース割り当てフィールド
２Ｄ）周波数ホッピングフラグフィールド
２Ｅ）ＭＣＳフィールド
２Ｆ）ＣＳＩリクエストフィールド（CSI request field）
２Ｇ）ＢＷＰフィールド（BWP field）
２Ｈ）第１のＵＬ  ＤＡＩフィールド（1st downlink assignment index）
２Ｉ）第２のＵＬ  ＤＡＩフィールド（2nd downlink assignment index）
【００７４】
第１のＵＬ  ＤＡＩフィールドは、ＰＤＳＣＨの送信状況を示すために少なくとも用いられる。動的ＨＡＲＱ−ＡＣＫコードブック（Dynamic HARQ-ACK codebook）が用いられ
る場合、第１のＵＬ  ＤＡＩフィールドのサイズは２ビットであってもよい。
【００７５】
第２のＵＬ  ＤＡＩフィールドは、ＰＤＳＣＨの送信状況を示すために少なくとも用いられる。二つのサブコードブック（sub-codebook）を含む動的ＨＡＲＱ−ＡＣＫコードブックが用いられる場合、第２のＵＬ  ＤＡＩフィールドのサイズは２ビットであってもよい。
【００７６】
ＢＷＰフィールドは、ＤＣＩフォーマット０＿１によりスケジューリングされるＰＵＳＣＨがマップされる上りリンクＢＷＰを指示するために用いられてもよい。
【００７７】
ＣＳＩリクエストフィールドは、ＣＳＩの報告を指示するために少なくとも用いられる。ＣＳＩリクエストフィールドのサイズは、上位層のパラメータＲｅｐｏｒｔＴｒｉｇｇｅｒＳｉｚｅに少なくとも基づき与えられてもよい。
【００７８】
下りリンクＤＣＩフォーマットは、ＤＣＩフォーマット１＿０、および、ＤＣＩフォーマット１＿１の一方または両方を少なくとも含む。
【００７９】
ＤＣＩフォーマット１＿０は、３Ａから３Ｈの一部または全部を少なくとも含んで構成される。
３Ａ）ＤＣＩフォーマット特定フィールド（Identifier for DCI formats field）
３Ｂ）周波数領域リソース割り当てフィールド（Frequency domain resource assignment
field）
３Ｃ）時間領域リソース割り当てフィールド（Time domain resource assignment field
）
３Ｄ）周波数ホッピングフラグフィールド（Frequency hopping flag field）
３Ｅ）ＭＣＳフィールド（MCS field: Modulation and Coding Scheme field）
３Ｆ）第１のＣＳＩリスエストフィールド（First CSI request field）
３Ｇ）ＰＤＳＣＨ−ｔｏ−ＨＡＲＱフィードバックタイミングインジケーターフィールド
（ＰＤＳＣＨ−ｔｏ−ＨＡＲＱ feedback timing indicator field）
３Ｈ）ＰＵＣＣＨリソース指示フィールド（PUCCH resource indicator field）
【００８０】
ＰＤＳＣＨからＨＡＲＱフィードバックへのタイミング指示フィールドは、タイミングＫ１を示すフィールドであってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨまたはＰＵＳＣＨが含まれるスロットのインデックスはｎ＋Ｋ１であってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨの先頭のＯＦＤＭシンボルまたはＰＵＳＣＨの先頭のＯＦＤＭシンボルが含まれるスロットのインデックスはｎ＋Ｋ１であってもよい。
【００８１】
以下、ＰＤＳＣＨ−ｔｏ−ＨＡＲＱフィードバックタイミングインジケーターフィールド（ＰＤＳＣＨ−ｔｏ−ＨＡＲＱ＿ｆｅｅｄｂａｃｋ  ｔｉｍｉｎｇ  ｉｎｄｉｃａｔｏｒ  ｆｉｅｌｄ）は、ＨＡＲＱ指示フィールドと呼称されてもよい。
【００８２】
ＰＵＣＣＨリソース指示フィールドは、ＰＵＣＣＨリソースセットに含まれる１または複数のＰＵＣＣＨリソースのインデックスを示すフィールドであってもよい。
【００８３】
ＤＣＩフォーマット１＿１は、４Ａから４Ｊの一部または全部を少なくとも含んで構成される。
４Ａ）ＤＣＩフォーマット特定フィールド（Identifier for DCI formats field）
４Ｂ）周波数領域リソース割り当てフィールド（Frequency domain resource assignment
field）
４Ｃ）時間領域リソース割り当てフィールド（Time domain resource assignment field
）
４Ｄ）周波数ホッピングフラグフィールド（Frequency hopping flag field）
４Ｅ）ＭＣＳフィールド（MCS field: Modulation and Coding Scheme field）
４Ｆ）第１のＣＳＩリスエストフィールド（First CSI request field）
４Ｇ）ＰＤＳＣＨ−ｔｏ−ＨＡＲＱフィードバックタイミングインジケーターフィールド（ＰＤＳＣＨ−ｔｏ−ＨＡＲＱ feedback timing indicator field）
４Ｈ）ＰＵＣＣＨリソース指示フィールド（PUCCH resource indicator field）
４Ｊ）ＢＷＰフィールド（BWP field）
【００８４】
ＢＷＰフィールドは、ＤＣＩフォーマット１＿１によりスケジューリングされるＰＤＳＣＨがマップされる下りリンクＢＷＰを指示するために用いられてもよい。
【００８５】
ＤＣＩフォーマット２＿０は、１または複数のスロットフォーマットインディケータ（SFI: Slot Format Indicator）を少なくとも含んで構成されてもよい。
【００８６】
本実施形態の種々の態様において、特別な記載のない限り、リソースブロックの数は周波数領域におけるリソースブロックの数を示す。
【００８７】
下りリンクグラントは、１つのサービングセル内の１つのＰＤＳＣＨのスケジューリングのために少なくとも用いられる。
【００８８】
上りリンクグラントは、１つのサービングセル内の１つのＰＵＳＣＨのスケジューリングのために少なくとも用いられる。
【００８９】
１つの物理チャネルは、１つのサービングセルにマップされてもよい。１つの物理チャネルは、１つのサービングセルに含まれる１つのキャリアに設定される１つのＢＷＰにマップされてもよい。
【００９０】
端末装置１は、１または複数の制御リソースセット（CORESET:COntrol REsource SET）が設定されてもよい。端末装置１は、１または複数の制御リソースセットにおいてＰＤＣＣＨを監視する（monitor）。ここで、１または複数の制御リソースセットにおいてＰＤ
ＣＣＨを監視することは、１または複数の制御リソースセットのそれぞれに対応する１または複数のＰＤＣＣＨを監視することを含んでもよい。なお、ＰＤＣＣＨは、１または複数のＰＤＣＣＨ候補および／またはＰＤＣＣＨ候補のセットを含んでもよい。また、ＰＤＣＣＨを監視することは、ＰＤＣＣＨ、および／または、ＰＤＣＣＨを介して送信されるＤＣＩフォーマットを監視し、検出することを含んでもよい。
【００９１】
制御リソースセットは、１または複数のＰＤＣＣＨがマップされうる時間周波数領域を示してもよい。制御リソースセットは、端末装置１がＰＤＣＣＨを監視する領域であってもよい。制御リソースセットは、連続的なリソース（Localized resource）により構成されてもよい。制御リソースセットは、非連続的なリソース（distributed resource）により構成されてもよい。
【００９２】
周波数領域において、制御リソースセットのマッピングの単位はリソースブロックであってもよい。例えば、周波数領域において、制御リソースセットのマッピングの単位は６リソースブロックであってもよい。時間領域において、制御リソースセットのマッピングの単位はＯＦＤＭシンボルであってもよい。例えば、時間領域において、制御リソースセットのマッピングの単位は１ＯＦＤＭシンボルであってもよい。
【００９３】
制御リソースセットのリソースブロックへのマッピングは、上位層パラメータに少なくとも基づき与えられてもよい。該上位層パラメータは、リソースブロックのグループ（RBG:Resource Block Group）に対するビットマップを含んでもよい。該リソースブロックのグループは、６つの連続するリソースブロックにより与えられてもよい。
【００９４】
制御リソースセットを構成するＯＦＤＭシンボルの数は、上位層パラメータに少なくとも基づき与えられてもよい。
【００９５】
ある制御リソースセットは、共通制御リソースセット（Common control resource set
）であってもよい。共通制御リソースセットは、複数の端末装置１に対して共通に設定される制御リソースセットであってもよい。共通制御リソースセットは、ＭＩＢ、第１のシステム情報、第２のシステム情報、共通ＲＲＣシグナリング、および、セルＩＤの一部または全部に少なくとも基づき与えられてもよい。例えば、第１のシステム情報のスケジューリングのために用いられるＰＤＣＣＨを監視することが設定される制御リソースセットの時間リソース、および／または、周波数リソースは、ＭＩＢに少なくとも基づき与えられてもよい。
【００９６】
ＭＩＢで設定される制御リソースセットは、ＣＯＲＥＳＥＴ＃０とも呼称される。ＣＯＲＥＳＥＴ＃０は、インデックス＃０の制御リソースセットであってもよい。
【００９７】
ある制御リソースセットは、専用制御リソースセット（Dedicated control resource set）であってもよい。専用制御リソースセットは、端末装置１のために専用に用いられるように設定される制御リソースセットであってもよい。専用制御リソースセットは、専用ＲＲＣシグナリング、および、Ｃ−ＲＮＴＩの値の一部または全部に少なくとも基づき与えられてもよい。端末装置１に複数の制御リソースセットが構成され、それぞれの制御リソースセットにインデックス（制御リソースセットインデックス）が付与されてもよい。制御リソースセット内に１つ以上の制御チャネル要素（ＣＣＥ）が構成され、それぞれのＣＣＥにインデックス（ＣＣＥインデックス）が付与されてもよい。
【００９８】
端末装置１によって監視されるＰＤＣＣＨの候補のセットは、探索領域の観点から定義されてもよい。つまり、端末装置１によって監視されるＰＤＣＣＨ候補のセットは、探索領域によって与えられてもよい。
【００９９】
探索領域は、１または複数の集約レベル（Aggregation level）のＰＤＣＣＨ候補を１
または複数含んで構成されてもよい。ＰＤＣＣＨ候補の集約レベルは、該ＰＤＣＣＨを構成するＣＣＥの個数を示してもよい。ＰＤＤＣＨ候補は、１または複数のＣＣＥにマップされてもよい。
【０１００】
端末装置１は、ＤＲＸ（Discontinuous reception）が設定されないスロットにおいて
少なくとも１または複数の探索領域を監視してもよい。ＤＲＸは、上位層パラメータに少なくとも基づき与えられてもよい。端末装置１は、ＤＲＸが設定されないスロットにおいて少なくとも１または複数の探索領域セット（Search space set）を監視してもよい。端末装置１に複数の探索領域セットが構成されてもよい。それぞれの探索領域セットにインデックス（探索領域セットインデックス）が付与されてもよい。
【０１０１】
探索領域セットは、１または複数の探索領域を少なくとも含んで構成されてもよい。それぞれの探索領域にインデックス（探索領域インデックス）が付与されてもよい。
【０１０２】
探索領域セットのそれぞれは、１つの制御リソースセットに少なくとも関連してもよい。探索領域セットのそれぞれは、１つの制御リソースセットに含まれてもよい。探索領域セットのそれぞれに対して、該探索領域セットに関連する制御リソースセットのインデックスが与えられてもよい。
【０１０３】
探索領域セットのそれぞれに対して、探索領域セットの監視間隔（Monitoring periodicity）が設定されてもよい。探索領域セットの監視間隔は、端末装置１によって探索領域セットの監視が行われるスロットの間隔を少なくとも示してもよい。探索領域セットの監視間隔を少なくとも示す上位層のパラメータは、探索領域セットごとに与えられてもよい。
【０１０４】
探索領域セットのそれぞれに対して、探索領域セットの監視オフセット（Monitoring offset）が設定されてもよい。探索領域セットの監視オフセットは、端末装置１によって
探索領域セットの監視が行われるスロットのインデックスの基準インデックス（例えば、スロット＃０）からのずれ（offset）を少なくとも示してもよい。探索領域セットの監視オフセットを少なくとも示す上位層のパラメータは、探索領域セットごとに与えられてもよい。
【０１０５】
探索領域セットのそれぞれに対して、探索領域セットの監視パターン（Monitoring pattern）が設定されてもよい。探索領域セットの監視パターンは、監視が行われる探索領域セットのための先頭のＯＦＤＭシンボルを示してもよい。探索領域セットの監視パターンは、１または複数のスロットにおける該先頭のＯＦＤＭシンボルを示すビットマップにより与えられてもよい。探索領域セットの監視パターンを少なくとも示す上位層のパラメータは、探索領域セットごとに与えられてもよい。
【０１０６】
探索領域セットの監視機会（Monitoring occasion）は、探索領域セットの監視間隔、
探索領域セットの監視オフセット、探索領域セットの監視パターン、および／または、Ｄ
ＲＸの設定の一部または全部に少なくとも基づき与えられてもよい。
【０１０７】
探索領域の物理リソースは制御チャネルの構成単位（CCE:Control Channel Element）
により構成される。ＣＣＥは所定の数のリソース要素グループ（REG:Resource Element Group）により構成される。例えば、ＣＣＥは６個のＲＥＧにより構成されてもよい。ＲＥＧは１つのＰＲＢ（Physical Resource Block）の１ＯＦＤＭシンボルにより構成されてもよい。つまり、ＲＥＧは１２個のリソースエレメント（RE:Resource Element）を含んで構成されてもよい。ＰＲＢは、単にＲＢ（Ｒｅｓｏｕｒｃｅ  Ｂｌｏｃｋ：リソースブロック）とも呼称される。
【０１０８】
ＰＤＳＣＨは、トランスポートブロックを送信するために少なくとも用いられる。ＰＤＳＣＨは、ランダムアクセスメッセージ２（ランダムアクセスレスポンス）を送信するために少なくとも用いられてもよい。ＰＤＳＣＨは、初期アクセスのために用いられるパラメータを含むシステム情報を送信するために少なくとも用いられてもよい。
【０１０９】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（SS:Synchronization signal）
・ＤＬ  ＤＭＲＳ（DownLink DeModulation Reference Signal）
・ＣＳＩ−ＲＳ（Channel State Information-Reference Signal）
・ＤＬ  ＰＴＲＳ（DownLink Phase Tracking Reference Signal）
【０１１０】
同期信号は、端末装置１が下りリンクの周波数領域、および／または、時間領域の同期をとるために用いられる。同期信号は、ＰＳＳ（Primary Synchronization Signal）、および、ＳＳＳ（Secondary Synchronization Signal）を含む。
【０１１１】
ＳＳブロック（ＳＳ／ＰＢＣＨブロック）は、ＰＳＳ、ＳＳＳ、および、ＰＢＣＨの一部または全部を少なくとも含んで構成される。
【０１１２】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、および／または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。
【０１１３】
ＣＳＩ−ＲＳは、チャネル状態情報を算出するために少なくとも用いられる信号であってもよい。端末装置によって想定されるＣＳＩ−ＲＳのパターンは、少なくとも上位層パラメータにより与えられてもよい。
【０１１４】
ＰＴＲＳは、位相雑音の補償のために少なくとも用いられる信号であってもよい。端末装置によって想定されるＰＴＲＳのパターンは、上位層パラメータ、および／または、ＤＣＩに少なくとも基づき与えられてもよい。
【０１１５】
ＤＬ  ＰＴＲＳは、１または複数のＤＬ  ＤＭＲＳに用いられるアンテナポートを少なくとも含むＤＬ  ＤＭＲＳグループに関連してもよい。
【０１１６】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下
りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１１７】
ＢＣＨ（Broadcast CHannel）、ＵＬ−ＳＣＨ（Uplink-Shared CHannel）およびＤＬ−ＳＣＨ（Downlink-Shared CHannel）は、トランスポートチャネルである。媒体アクセス
制御（MAC:Medium Access Control）層で用いられるチャネルはトランスポートチャネル
と呼称される。ＭＡＣ層で用いられるトランスポートチャネルの単位は、トランスポートブロック（TB）またはＭＡＣ  ＰＤＵとも呼称される。ＭＡＣ層においてトランスポートブロック毎にＨＡＲＱ（Hybrid Automatic Repeat reQuest）の制御が行なわれる。トラ
ンスポートブロックは、ＭＡＣ層が物理層に渡す（deliver）データの単位である。物理
層において、トランスポートブロックはコードワードにマップされ、コードワード毎に変調処理が行なわれる。
【０１１８】
基地局装置３と端末装置１は、上位層（higher layer）において上位層の信号をやり取り（送受信）する。例えば、基地局装置３と端末装置１は、無線リソース制御（RRC:Radio Resource Control）層において、ＲＲＣシグナリング（RRC message:Radio Resource Control message; RRC information:Radio Resource Control information）を送受信してもよい。また、基地局装置３と端末装置１は、ＭＡＣ層において、ＭＡＣ  ＣＥ（Control Element）を送受信してもよい。ここで、ＲＲＣシグナリング、および／または、ＭＡＣ  ＣＥを、上位層の信号（higher layer signaling）とも称する。
【０１１９】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層パラメータは、サービングセル内における複数の端末装置１に対して共通のシグナリング、または、ある端末装置１に対して専用のシグナリングを用いて送信されてもよい。ＵＥ固有な上位層パラメータは、ある端末装置１に対して専用のシグナリングを用いて送信されてもよい。
【０１２０】
ＢＣＣＨ（Broadcast Control CHannel）、ＣＣＣＨ（Common Control CHannel）、お
よび、ＤＣＣＨ（Dedicated Control CHannel）は、ロジカルチャネルである。例えば、
ＢＣＣＨは、ＭＩＢを送信するために用いられる上位層のチャネルである。また、ＣＣＣＨ（Common Control CHannel）は、複数の端末装置１において共通な情報を送信するために用いられる上位層のチャネルである。ここで、ＣＣＣＨは、例えば、ＲＲＣ接続されていない端末装置１のために用いられてもよい。また、ＤＣＣＨ（Dedicated Control CHannel）は、端末装置１に専用の制御情報（dedicated control information）を送信するために少なくとも用いられる上位層のチャネルである。ここで、ＤＣＣＨは、例えば、ＲＲＣ接続されている端末装置１のために用いられてもよい。
【０１２１】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ
−ＳＣＨまたはＵＬ−ＳＣＨにマップされてもよい。
【０１２２】
トランスポートチャネルにおけるＵＬ−ＳＣＨは、物理チャネルにおいてＰＵＳＣＨにマップされてもよい。トランスポートチャネルにおけるＤＬ−ＳＣＨは、物理チャネルにおいてＰＤＳＣＨにマップされてもよい。トランスポートチャネルにおけるＢＣＨは、物理チャネルにおいてＰＢＣＨにマップされてもよい。
【０１２３】
以下、本実施形態の一態様に係る端末装置１の構成例を説明する。
【０１２４】
図４は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、お
よび、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１２５】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（PDCP:Packet Data Convergence Protocol）層、無線リン
ク制御（RLC:Radio Link Control）層、ＲＲＣ層の処理を行なう。
【０１２６】
上位層処理部１４が備える媒体アクセス制御層処理部１５は、ＭＡＣ層の処理を行う。
【０１２７】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。尚、該設定情報は、物理チャネルや物理シグナル（つまり、物理層）、ＭＡＣ層、ＰＤＣＰ層、ＲＬＣ層、ＲＲＣ層の処理または設定に関連する情報を含んでもよい。該パラメータは上位層パラメータであってもよい。
【０１２８】
無線送受信部１０は、変調、復調、符号化、復号化などの物理層の処理を行う。無線送受信部１０は、受信した物理信号を、分離、復調、復号し、復号した情報を上位層処理部１４に出力する。無線送受信部１０は、データを変調、符号化、ベースバンド信号生成（時間連続信号への変換）することによって物理信号を生成し、基地局装置３に送信する。
【０１２９】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１３０】
ベースバンド部１３は、ＲＦ部１２から入力されたアナログ信号をディジタル信号に変換する。ベースバンド部１３は、変換したディジタル信号からＣＰ（Cyclic Prefix）に
相当する部分を除去し、ＣＰを除去した信号に対して高速フーリエ変換（FFT:Fast Fourier Transform）を行い、周波数領域の信号を抽出する。
【０１３１】
ベースバンド部１３は、データを逆高速フーリエ変換（IFFT:Inverse Fast Fourier Transform）して、ＯＦＤＭシンボルを生成し、生成されたＯＦＤＭシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１３２】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１３３】
以下、本実施形態の一態様に係る基地局装置３の構成例を説明する。
【０１３４】
図５は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１３５】
上位層処理部３４は、ＭＡＣ層、ＰＤＣＰ層、ＲＬＣ層、ＲＲＣ層の処理を行なう。
【０１３６】
上位層処理部３４が備える媒体アクセス制御層処理部３５は、ＭＡＣ層の処理を行う。
【０１３７】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。尚、該設定情報は、物理チャネルや物理シグナル（つまり、物理層）、ＭＡＣ層、ＰＤＣＰ層、ＲＬＣ層、ＲＲＣ層の処理または設定に関連する情報を含んでもよい。該パラメータは上位層パラメータであってもよい。
【０１３８】
無線送受信部３０の機能は、無線送受信部１０と同様であるため説明を省略する。
【０１３９】
端末装置１が備える符号１０から符号１６が付された部のそれぞれは、回路として構成されてもよい。基地局装置３が備える符号３０から符号３６が付された部のそれぞれは、回路として構成されてもよい。
【０１４０】
端末装置１は物理信号の送信に先立ってキャリアセンス（Carrier sense）を実施して
もよい。また、基地局装置３は物理信号の送信に先立ってキャリアセンスを実施してもよい。キャリアセンスは、無線チャネル（Radio channel）においてエネルギー検出（Energy detection）を実施することであってもよい。物理信号の送信に先立って実施されるキャリアセンスに基づき、該物理信号の送信可否が与えられてもよい。例えば、物理信号の送信に先立って実施されるキャリアセンスによって検出されるエネルギー量が所定のしきい値よりも大きい場合に、該物理チャネルの送信が行われなくてもよい、または、送信が不可と判断されてもよい。また、物理信号の送信に先立って実施されるキャリアセンスによって検出されるエネルギー量が所定のしきい値よりも小さい場合に、該物理チャネルの送信が行われてもよい、または、送信が可能と判断されてもよい。また、物理信号の送信に先立って実施されるキャリアセンスによって検出されるエネルギー量が所定のしきい値と等しい場合に、該物理チャネルの送信が行われてもよいし、行われなくてもよい。つまり、物理信号の送信に先立って実施されるキャリアセンスによって検出されるエネルギー量が所定のしきい値と等しい場合に、送信が不可と判断されてもよいし、送信が可能と判断されてもよい。
【０１４１】
キャリアセンスに基づき物理チャネルの送信可否が与えられる手順は、ＬＢＴ（Listen
Before Talk）とも呼称される。ＬＢＴの結果として物理信号の送信が不可と判断される状況は、ｂｕｓｙ状態、または、ｂｕｓｙとも呼称される。例えば、ｂｕｓｙ状態は、キャリアセンスによって検出されるエネルギー量が所定のしきい値よりも大きい状態であってもよい。また、ＬＢＴの結果として物理信号の送信が可能と判断される状況は、ｉｄｌｅ状態、または、ｉｄｌｅとも呼称される。例えば、ｉｄｌｅ状態は、キャリアセンスによって検出されるエネルギー量が所定のしきい値よりも小さい状態であってもよい。
【０１４２】
端末装置１は、上りリンク制御情報（UCI）をＰＵＣＣＨに多重して送信してもよい。
端末装置１は、ＵＣＩをＰＵＳＣＨに多重して送信してもよい。ＵＣＩは、下りリンクのチャネル状態情報（Channel State Information: CSI）、ＰＵＳＣＨリソースの要求を示すスケジューリング要求（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）のうち、少なくとも１つを含んでもよい。
【０１４３】
１つのトランスポートブロック（TB）に対するＨＡＲＱ制御をＨＡＲＱプロセスと呼んでもよい。ＨＡＲＱ制御は、複数のトランスポートブロック（TB）に対する並列動作が可能である。ＨＡＲＱプロセス毎にＨＡＲＱプロセス識別子が対応付けられてもよい。
【０１４４】
非周期ＣＳＩは、非周期的に（aperiodic）行われるチャネル状態情報報告である。非
周期ＣＳＩは、ＤＣＩフォーマットに少なくとも基づき指示されてもよい。非周期ＣＳＩは、ＤＣＩフォーマットに含まれるＣＳＩリクエストフィールドのコードポイントに所定の値がセットされることに少なくとも基づき指示されてもよい。非周期ＣＳＩは、A-CSI
（Aperiodic CSI）とも呼称される。
【０１４５】
ＤＣＩフォーマットに含まれるＤＣＩフィールドＵＬ−ＳＣＨ  ｉｎｄｉｃａｔｏｒは、該ＤＣＩフォーマットによってスケジュールされるＰＵＳＣＨに上りリンクデータ（ＵＬ−ＳＣＨ，トランスポートブロック）を伴う（または、含む）かどうかを示すために用いられてもよい。例えば、該ＤＣＩフィールドＵＬ−ＳＣＨ  ｉｎｄｉｃａｔｏｒの値が１にセットされている場合、該ＰＵＳＣＨに上りリンクデータを伴って（含んで）送信することを示されてもよい。例えば、該ＤＣＩフィールドＵＬ−ＳＣＨ  ｉｎｄｉｃａｔｏｒの値が０にセットされている場合、該ＰＵＳＣＨに上りリンクデータを伴わないで（含まないで）送信することが示されてもよい。端末装置１は、ＤＣＩフォーマットに含まれるＤＣＩフィールドＵＬ−ＳＣＨ  ｉｎｄｉｃａｔｏｒの値に少なくとも基づき、該ＤＣＩフォーマットによってスケジュールされるＰＵＳＣＨに上りリンクデータを多重するか否かを決定してもよい。
【０１４６】
非周期ＣＳＩは、ＰＵＳＣＨに介して送信（報告）されてもよい。非周期ＣＳＩ報告は、上りリンクデータを伴うＰＵＳＣＨに多重されてもよい。非周期ＣＳＩ報告は、上りリンクデータを伴わないＰＵＳＣＨに多重されてもよい。端末装置１は、上りリンクデータを伴うＰＵＳＣＨを介して非周期ＣＳＩ報告を送信してもよいし、上りリンクデータを伴わないＰＵＳＣＨを介して非周期ＣＳＩ報告を送信してもよい。非周期ＣＳＩ報告が上りリンクデータを伴うＰＵＳＣＨに多重される場合、ＤＣＩフィールドＵＬ−ＳＣＨ  ｉｎｄｉｃａｔｏｒは１にセットされてもよい。非周期ＣＳＩ報告が上りリンクデータを伴うＰＵＳＣＨに多重される場合、ＤＣＩフィールドＵＬ−ＳＣＨ  ｉｎｄｉｃａｔｏｒは０にセットされてもよい。端末装置１は、ＤＣＩフォーマットに含まれる非周期ＣＳＩリクエストフィールドの値が非周期ＣＳＩ報告を指示する場合、且つ、該ＤＣＩフォーマットに含まれるＤＣＩフィールドＵＬ−ＳＣＨ  ｉｎｄｉｃａｔｏｒの値が１である場合、該ＤＣＩフォーマットによってスケジュールされ、上りリンクデータを伴うＰＵＳＣＨを介して該非周期ＣＳＩ報告を送信してもよい。端末装置１は、ＤＣＩフォーマットに含まれる非周期ＣＳＩリクエストフィールドの値が非周期ＣＳＩ報告を指示する場合、且つ、該ＤＣＩフォーマットに含まれるＤＣＩフィールドＵＬ−ＳＣＨ  ｉｎｄｉｃａｔｏｒの値が０である場合、該ＤＣＩフォーマットによってスケジュールされ、上りリンクデータを伴わないＰＵＳＣＨを介して該非周期ＣＳＩ報告を送信してもよい。すなわち、非周期ＣＳＩは、ＤＣＩフィールドＵＬ−ＳＣＨ  ｉｎｄｉｃａｔｏｒの値０により示す上りリンクデータがないＰＵＳＣＨを介して送信されてもよい。
【０１４７】
非周期ＣＳＩ報告を指示するＤＣＩフォーマットが１つのＰＵＳＣＨをスケジューリングする（スケジュールする）場合、該非周期ＣＳＩ報告は該ＰＵＳＣＨに多重されてもよい。非周期ＣＳＩ報告を指示するＤＣＩフォーマットが複数のＰＵＳＣＨをスケジューリングする場合、該非周期ＣＳＩ報告は該複数のＰＵＳＣＨのうち、１つの第１のＰＵＳＣＨに多重されてもよい。すなわち、該非周期ＣＳＩ報告が多重される第１のＰＵＳＣＨは、該複数のＰＵＳＣＨのうちに選ばれてもよい。例えば、第１のＰＵＳＣＨは、該複数のＰＵＳＣＨのうち、最後のＰＵＳＣＨであってもよいし、最後から２番目のＰＵＳＣＨであってもよいし、先頭のＰＵＳＣＨであってもよいし、先頭から２番目のＰＵＳＣＨであってもよい。
【０１４８】
複数のＰＵＳＣＨをスケジュールするＤＣＩフォーマットに１つのＤＣＩフィールドＵＬ−ＳＣＨ  ｉｎｄｉｃａｔｏｒが含まれる場合、該複数のＰＵＳＣＨのうち、特定の１つのＰＵＳＣＨに該ＤＣＩフィールドＵＬ−ＳＣＨ  ｉｎｄｉｃａｔｏｒを適用されてもよい。複数のＰＵＳＣＨをスケジュールするＤＣＩフォーマットに各ＰＵＳＣＨに対するＤＣＩフィールドＵＬ−ＳＣＨ  ｉｎｄｉｃａｔｏｒが含まれる場合、該複数のＰＵＳＣＨのそれぞれに該複数のＤＣＩフィールドＵＬ−ＳＣＨ  ｉｎｄｉｃａｔｏｒを適用されてもよい。
【０１４９】
複数のＰＵＳＣＨをスケジュールするＤＣＩフォーマットに１つのＣＳＩリクエストフィールドが含まれる場合、該複数のＰＵＳＣＨのうち、特定の１つのＰＵＳＣＨに該ＣＳＩリクエストフィールドを適用されてもよい。複数のＰＵＳＣＨをスケジュールするＤＣＩフォーマットに各ＰＵＳＣＨに対するＣＳＩリクエストフィールドが含まれる場合、該複数のＰＵＳＣＨのそれぞれに該複数のＣＳＩリクエストフィールドを適用されてもよい。
【０１５０】
非周期ＣＳＩ報告を指示するＤＣＩフォーマットが複数のＰＵＳＣＨをスケジューリングする場合、該ＤＣＩフォーマットに含まれるＤＣＩフィールドＵＬ−ＳＣＨ  ｉｎｄｉｃａｔｏｒは、該複数のＰＵＳＣＨのうち、非周期ＣＳＩ報告が多重されるＰＵＳＣＨに適用されてもよい。すなわち、該複数のＰＵＳＣＨのうち、非周期ＣＳＩ報告が多重されるＰＵＳＣＨに対して、該ＤＣＩフォーマットに含まれるＤＣＩフィールドＵＬ−ＳＣＨ
ｉｎｄｉｃａｔｏｒは、有効であってもよい。該ＤＣＩフォーマットに含まれるＤＣＩフィールドＵＬ−ＳＣＨ  ｉｎｄｉｃａｔｏｒは、該複数のＰＵＳＣＨのうち、非周期ＣＳＩ報告が多重されるＰＵＳＣＨ以外のＰＵＳＣＨに適用されなくてもよい。すなわち、該複数のＰＵＳＣＨのうち、非周期ＣＳＩ報告が多重されるＰＵＳＣＨ以外のＰＵＳＣＨに対して、該ＤＣＩフォーマットに含まれるＤＣＩフィールドＵＬ−ＳＣＨ  ｉｎｄｉｃａｔｏｒは、無効であってもよい。すなわち、端末装置１は、該複数のＰＵＳＣＨのうち
、非周期ＣＳＩ報告が多重されるＰＵＳＣＨに対して該ＤＣＩフォーマットに含まれるＤＣＩフィールドＵＬ−ＳＣＨ  ｉｎｄｉｃａｔｏｒの値を考慮してもよいし、非周期ＣＳＩ報告が多重されるＰＵＳＣＨ以外にＰＵＳＣＨに対して該ＤＣＩフォーマットに含まれるＤＣＩフィールドＵＬ−ＳＣＨ  ｉｎｄｉｃａｔｏｒの値を考慮せずでもよい。このように、ＤＣＩフィールドＵＬ−ＳＣＨ  ｉｎｄｉｃａｔｏｒの有効範囲を明確することより、上りリンクのスケジューリング効率を向上することができる。
【０１５１】
図６は、本実施形態の一態様に係る、１つのＤＣＩフォーマットによりスケジューリングされる複数のＰＵＳＣＨのうち、該ＤＣＩフォーマットに含まれるＤＣＩフィールドＵＬ−ＳＣＨ  ｉｎｄｉｃａｔｏｒを非周期ＣＳＩ報告が多重されるＰＵＳＣＨに適用する方法を示す図である。
【０１５２】
例えば、第1の例において、非周期ＣＳＩ報告６０２を指示するＤＣＩフォーマット６
０１は、ＰＵＳＣＨ６０３、ＰＵＳＣＨ６０４、ＰＵＳＣＨ６０５、および、ＰＵＳＣＨ６０６をスケジューリングする。ＰＵＳＣＨ６０３、ＰＵＳＣＨ６０４、ＰＵＳＣＨ６０５、および、ＰＵＳＣＨ６０６は、それぞれに異なるＨＡＲＱプロセス識別子に対応されてもよい。ＰＵＳＣＨ６０３、ＰＵＳＣＨ６０４、ＰＵＳＣＨ６０５、および、ＰＵＳＣＨ６０６は、同一のＨＡＲＱプロセス識別子に対応されてもよい。非周期ＣＳＩ報告６０２は、最後から２番目のＰＵＳＣＨ６０５に多重される。ＤＣＩフォーマット６０１に含まれるＤＣＩフィールドＵＬ−ＳＣＨ  ｉｎｄｉｃａｔｏｒは、非周期ＣＳＩ報告６０２が多重されるＰＵＳＣＨ６０５に適用されてもよい。ＤＣＩフォーマット６０１に含まれるＤＣＩフィールドＵＬ−ＳＣＨ  ｉｎｄｉｃａｔｏｒは、ＰＵＳＣＨ６０３、ＰＵＳＣＨ６０４、または、ＰＵＳＣＨ６０６に適用されなくてもよい。
【０１５３】
第２の例において、非周期ＣＳＩ報告６１２を指示するＤＣＩフォーマット６１１は、ＰＵＳＣＨ６１３、および、ＰＵＳＣＨ６１４をスケジューリングする。非周期ＣＳＩ報告６１２は、最後のＰＵＳＣＨ６１４に多重される。ＤＣＩフォーマット６１１に含まれるＤＣＩフィールドＵＬ−ＳＣＨ  ｉｎｄｉｃａｔｏｒは、非周期ＣＳＩ報告６１２が多重されるＰＵＳＣＨ６１４に適用されてもよい。ＤＣＩフォーマット６１１に含まれるＤＣＩフィールドＵＬ−ＳＣＨ  ｉｎｄｉｃａｔｏｒは、ＰＵＳＣＨ６１３に適用されなくてもよい。
【０１５４】
非周期ＣＳＩ報告を指示するＤＣＩフォーマットは、１つの第２のＰＵＳＣＨをスケジューリングしてもよい。すなわち、非周期ＣＳＩ報告が指示される場合、複数のＰＵＳＣＨは１つのＤＣＩフォーマットによりスケジューリングされなくてもよい。該非周期ＣＳＩ報告は、第２のＰＵＳＣＨに多重されてもよい。該ＤＣＩフォーマットに含まれるＤＣＩフィールドＵＬ−ＳＣＨ  ｉｎｄｉｃａｔｏｒは、第２のＰＵＳＣＨに適用されてもよい。このように、非周期ＣＳＩ報告が指示される、且つ、上りリンクデータがない状況に対して、必要がない複数のＰＵＳＣＨのスケジューリングを回避することにより、上りリンクのスケジューリング効率を向上することができる。
【０１５５】
図７は、本実施形態の一態様に係る、非周期ＣＳＩ報告を指示するＤＣＩフォーマットが１つのＰＵＳＣＨをスケジューリングし、該ＤＣＩフォーマットに含まれるＤＣＩフィールドＵＬ−ＳＣＨ  ｉｎｄｉｃａｔｏｒが該ＰＵＳＣＨに適用される方法を示す図である。
【０１５６】
図７において、非周期ＣＳＩ報告７０２を指示するＤＣＩフォーマット７０１は、ＰＵＳＣＨ７０３をスケジューリングする。非周期ＣＳＩ報告７０２は、ＰＵＳＣＨ７０３に多重される。ＤＣＩフォーマット７０１に含まれるＤＣＩフィールドＵＬ−ＳＣＨ  ｉｎｄｉｃａｔｏｒは、非周期ＣＳＩ報告７０２が多重されるＰＵＳＣＨ７０３に適用されて
もよい。
【０１５７】
非周期ＣＳＩ報告を指示するＤＣＩフォーマットが複数のＰＵＳＣＨをスケジューリングする場合、該ＤＣＩフォーマットに含まれるＤＣＩフィールドＵＬ−ＳＣＨ  ｉｎｄｉｃａｔｏｒは、複数のＰＵＳＣＨのそれぞれに対して上りリンクデータを伴う（または、含む）かどうかを示してもよい。該非周期ＣＳＩ報告は、ＵＬ−ＳＣＨ  ｉｎｄｉｃａｔｏｒの値が０にセットされたＰＵＳＣＨに多重されてもよい。端末装置１は、ＤＣＩフォーマットに含まれる非周期ＣＳＩリクエストフィールドの値が非周期ＣＳＩ報告を指示する場合、該ＤＣＩフォーマットに含まれるＵＬ−ＳＣＨ  ｉｎｄｉｃａｔｏｒの値が０にセットされたＰＵＳＣＨを介して該非周期ＣＳＩ報告を送信してもよい。
【０１５８】
ＤＣＩフォーマットは、当該ＤＣＩフォーマットによってスケジューリング可能なＰＵＳＣＨの最大数のうち、実際にスケジューリングされるＰＵＳＣＨの数Ｎを指定するフィールドを有してもよい。あるいは、ＤＣＩフォーマットは、当該ＤＣＩフォーマットによってＰＵＳＣＨをスケジューリング可能なスロットの最大数のうち、実際にＰＵＳＣＨがスケジューリングされるスロットの数Ｎを指定するフィールドを有してもよい。このＤＣＩフォーマットに含まれる非周期ＣＳＩリクエストフィールドの値が非周期ＣＳＩ報告を指示する場合、このＤＣＩフォーマットによってスケジューリングされる複数のＰＵＳＣＨのうち、１つあるいは複数のＰＵＳＣＨにおいて非周期ＣＳＩが報告されてもよい。あるいは、このＤＣＩフォーマットに含まれる非周期ＣＳＩリクエストフィールドの値が非周期ＣＳＩ報告を指示する場合、このＤＣＩフォーマットによってＰＵＳＣＨがスケジューリングされる複数のスロットのうち、１つあるいは複数のスロットにおいて非周期ＣＳＩが報告されてもよい。その際、Ｎ＝１のときに、そのＤＣＩフォーマットにおけるＵＬ−ＳＣＨ  ｉｎｄｉｃａｔｏｒは有効であり、Ｎ＝１以外（例えばＮ＞１）のときに、そのＤＣＩフォーマットにおけるＵＬ−ＳＣＨ  ｉｎｄｉｃａｔｏｒは無効であってもよい。ここで、ＵＬ−ＳＣＨ  ｉｎｄｉｃａｔｏｒが有効であるとは、端末装置１がＵＬ−ＳＣＨ  ｉｎｄｉｃａｔｏｒフィールドを参照することで、スケジューリングされたＰＵＳＣＨがＵＬ−ＳＣＨを含むか否かを決定することを意味してもよい。また、ＵＬ−ＳＣＨ  ｉｎｄｉｃａｔｏｒが無効であるとは、端末装置１がＵＬ−ＳＣＨ  ｉｎｄｉｃａｔｏｒフィールドの値によらず、スケジューリングされたＰＵＳＣＨがＵＬ−ＳＣＨを含むと決定することを意味してもよい。あるいは、Ｎ＝１のときに、そのＤＣＩフォーマットにおけるＵＬ−ＳＣＨ  ｉｎｄｉｃａｔｏｒは１と０のいずれの値も取ることができ、Ｎ＝１以外（例えばＮ＞１）のときには、そのＤＣＩフォーマットにおけるＵＬ−ＳＣＨ  ｉｎｄｉｃａｔｏｒは常に１の値を取ってもよい（つまり、この場合、端末装置１はＵＬ−ＳＣＨ  ｉｎｄｉｃａｔｏｒの値が０になることを期待しなくてもよい）。
【０１５９】
ＤＣＩフォーマットは、ＵＬ−ＳＣＨ  ｉｎｄｉｃａｔｏｒ専用のフィールドを有してもよいし、ＵＬ−ＳＣＨ  ｉｎｄｉｃａｔｏｒと他の情報とを指定する共用のフィールドを有してもよい。例えば、１つのフィールドが、Ｎの値と、ＰＵＳＣＨがＵＬ−ＳＣＨを含むか否かと、を示してもよい。この場合、例えば、そのフィールドが示す第１の値は、Ｎ＝１であり、かつ、ＰＵＳＣＨがＵＬ−ＳＣＨを含むことを意味してもよい。また、そのフィールドが示す第２の値は、Ｎ＝１であり、かつ、ＰＵＳＣＨがＵＬ−ＳＣＨを含まないことを意味してもよい。また、そのフィールドが示す第３の値以降の各々は、Ｎ＞１であるＮの値の各々であり、かつ、ＰＵＳＣＨがＵＬ−ＳＣＨを含むことを意味してもよい。
【０１６０】
以下、本実施形態の一態様に係る種々の装置の態様を説明する。
【０１６１】
（１）上記の目的を達成するために、本発明の態様は、以下のような手段を講じた。すなわち、本発明の第１の態様は、端末装置であって、ＰＤＣＣＨを受信する受信部と、前
記ＰＤＣＣＨに含まれるＤＣＩフォーマットに少なくとも基づきスケジューリングされる複数のＰＵＳＣＨを送信する送信部と、を備え、前記ＤＣＩフォーマットが非周期ＣＳＩ報告を指示する場合、前記複数のＰＵＳＣＨのうち、前記非周期ＣＳＩ報告が多重される第１のＰＵＳＣＨに対して、ＤＣＩフィールドＵＬ−ＳＣＨ  ｉｎｄｉｃａｔｏｒは適用され、前記複数のＰＵＳＣＨのうち、第１のＰＵＳＣＨ以外のＰＵＳＣＨに対して、前記ＤＣＩフィールドＵＬ−ＳＣＨ  ｉｎｄｉｃａｔｏｒは適用されないことを含む。
【０１６２】
（２）本発明の第２の態様は、端末装置であって、ＰＤＣＣＨを受信する受信部と、前記ＰＤＣＣＨに含まれるＤＣＩフォーマットに少なくとも基づきスケジューリングされるＰＵＳＣＨを送信する送信部と、を備え、前記ＤＣＩフォーマットが非周期ＣＳＩ報告を指示する場合、１つの第２のＰＵＳＣＨがスケジューリングされ、前記非周期ＣＳＩ報告を第２のＰＵＳＣＨに多重し、第２のＰＵＳＣＨに対して、ＤＣＩフィールドＵＬ−ＳＣＨ  ｉｎｄｉｃａｔｏｒは適用されることを含む。
【０１６３】
（３）本発明の第３の態様は、端末装置であって、ＰＤＣＣＨを受信する受信部と、前記ＰＤＣＣＨに含まれるＤＣＩフォーマットに少なくとも基づきスケジューリングされるＰＵＳＣＨを送信する送信部と、を備え、前記ＤＣＩフォーマットが非周期ＣＳＩ報告を指示する、且つ、1つのＰＵＳＣＨをスケジューリングする場合、前記ＤＣＩフォーマッ
トに含まれるＤＣＩフィールドＵＬ−ＳＣＨ  ｉｎｄｉｃａｔｏｒは有効にセットされ、前記ＤＣＩフォーマットが非周期ＣＳＩ報告を指示する、且つ、複数のＰＵＳＣＨをスケジューリングする場合、前記ＤＣＩフォーマットに含まれるＤＣＩフィールドＵＬ−ＳＣＨ  ｉｎｄｉｃａｔｏｒは無効にセットされることを含む。
【０１６４】
（４）本発明の第４の態様は、基地局装置であって、ＰＤＣＣＨを送信する送信部と、前記ＰＤＣＣＨに含まれるＤＣＩフォーマットに少なくとも基づきスケジューリングされる複数のＰＵＳＣＨを受信する受信部と、を備え、前記ＤＣＩフォーマットが非周期ＣＳＩ報告を指示する場合、前記複数のＰＵＳＣＨのうち、前記非周期ＣＳＩ報告が多重されるＰＵＳＣＨに対して、ＤＣＩフィールドＵＬ−ＳＣＨ  ｉｎｄｉｃａｔｏｒをセットすることを含む。
【０１６５】
（５）本発明の第５の態様は、基地局装置であって、ＰＤＣＣＨを送信する送信部と、前記ＰＤＣＣＨに含まれるＤＣＩフォーマットに少なくとも基づきスケジューリングされる複数のＰＵＳＣＨを受信する受信部と、を備え、前記ＤＣＩフォーマットが非周期ＣＳＩ報告を指示する場合、１つの第２のＰＵＳＣＨをスケジューリングし、前記非周期ＣＳＩ報告は第２のＰＵＳＣＨに多重され、第２のＰＵＳＣＨに対して、ＤＣＩフィールドＵＬ−ＳＣＨ  ｉｎｄｉｃａｔｏｒをセットすることを含む。
【０１６６】
（６）本発明の第６の態様は、基地局装置であって、ＰＤＣＣＨを送信する送信部と、前記ＰＤＣＣＨに含まれるＤＣＩフォーマットに少なくとも基づきスケジューリングされる複数のＰＵＳＣＨを受信する受信部と、を備え、前記ＤＣＩフォーマットが非周期ＣＳＩ報告を指示する、且つ、1つのＰＵＳＣＨをスケジューリングする場合、前記ＤＣＩフ
ォーマットに含まれるＤＣＩフィールドＵＬ−ＳＣＨ  ｉｎｄｉｃａｔｏｒを有効にセットし、前記ＤＣＩフォーマットが非周期ＣＳＩ報告を指示する、且つ、複数のＰＵＳＣＨをスケジューリングする場合、前記ＤＣＩフォーマットに含まれるＤＣＩフィールドＵＬ−ＳＣＨ  ｉｎｄｉｃａｔｏｒを無効にセットすることを含む。
【０１６７】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であってもよい。そして、これら装置で取り扱われる情報は、その処理時に一時的にＲＡＭ（Random Access Memory）
に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１６８】
尚、上述した実施形態における端末装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０１６９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１７１】
端末装置１は、少なくとも１つのプロセッサと、コンピュータプログラムインストラクション（コンピュータプログラム）を含む少なくとも１つのメモリからなってもよい。メモリとコンピュータプログラムインストラクション（コンピュータプログラム）はプロセッサを用いて、上記の実施形態に記載の動作、処理を端末装置１に行わせるような構成でもよい。基地局装置３は、少なくとも１つのプロセッサと、コンピュータプログラムインストラクション（コンピュータプログラム）を含む少なくとも１つのメモリからなってもよい。メモリとコンピュータプログラムインストラクション（コンピュータプログラム）はプロセッサを用いて、上記の実施形態に記載の動作、処理を基地局装置３に行わせるような構成でもよい。
【０１７２】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１７３】
また、上述した実施形態における基地局装置３は、ＥＵＴＲＡＮ（Evolved Universal Terrestrial Radio Access Network）および／またはＮＧ−ＲＡＮ（NextGen RAN，NR RAN）であってもよい。また、上述した実施形態における基地局装置３は、ｅＮｏｄｅＢおよび／またはｇＮＢに対する上位ノードの機能の一部または全部を有してもよい。
【０１７４】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０１７５】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１７６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１７７】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
【図１】
2020182101.tif 000003
【図２】
2020182101.tif 000004
【図３】
2020182101.tif 000005
【図４】
2020182101.tif 000006
【図５】
2020182101.tif 000007
【図６】
2020182101.tif 000008
【図７】
2020182101.tif 000009